(57)【要約】      （修正有）【課題】土台に対する床プレートの振動を遮断する支持脚を提供する。【解決手段】この支持脚は、その下端にボルトヘッド２を有する支持ボルト１及びボルトヘッド２の下側の領域内に配置されたエラストマー製の緩衝要素１４を有する。床パネル１５は、ボルトヘッド２と緩衝要素１４との間に配置された合成樹脂製の荷重負荷分散要素７上に設置さている。この荷重負荷分散要素７は、ボルトヘッド２からこの荷重負荷分散要素７に作用する力をこの荷重負荷分散要素７上のボルトヘッド２の支持面に比べて広い緩衝要素１４の支持面１６にむかって分散させる。【選択図】図２
2005240548.tif 000002
【特許請求の範囲】
【請求項１】
床の床パネル（１５）を弾性的に支持する支持脚にあって、これらの床パネルは、土台（１３）に対して間隔をあけて取り付ける必要があり、この支持脚は、その下端にボルトヘッド（２）を有する支持ボルト（１）及びボルトヘッド（２）の下側の領域内に配置されたエラストマー製の緩衝要素（１４）を有する支持脚において、床パネル（２）は、ボルトヘッド（２）と緩衝要素（１４）との間に配置された合成樹脂製の荷重負荷分散要素（７）上に設置され、この荷重負荷分散要素（７）は、ボルトヘッド（２）からこの荷重負荷分散要素（７）に作用する力をこの荷重負荷分散要素（７）上のボルトヘッド（２）の支持面に比べて広い緩衝要素（１４）の支持面（１６）に向けって分散させることを特徴とする支持脚。
【請求項２】
ボルトヘッド（２）は、荷重負荷分散要素（７）のボルトヘッド収容部（８）内に挿嵌されていることを特徴とする請求項１に記載の支持脚。
【請求項３】
球継手状の連結部が、ボルトヘッド（２）と荷重負荷分散要素（７）との間に存在することを特徴とする１又は２に記載の支持脚。
【請求項４】
荷重負荷分散要素（７）は、緩衝要素のほぼ平坦な支持面（１６）に接触するほぼ平坦な支持面（１７）を有することを特徴とする請求項１〜３のいずれか１項に記載の支持脚。
【請求項５】
緩衝要素（１４）は、貫通孔及び特に凹部又は窪みがないことを特徴とする請求項１〜４のいずれか１項に記載の支持脚。
【請求項６】
緩衝要素（１４）は、四角形に形成されていることを特徴とする請求項１〜５のいずれか１項に記載の支持脚。
【請求項７】
荷重負荷分散要素（７）は、土台の反対側のその面上に補強リブ（２１）を有することを特徴とする請求項１〜６のいずれか１項に記載の支持脚。
【請求項８】
荷重負荷分散要素（７）の合成樹脂材料は、緩衝要素（１４）のエラストマーに比べて大きい剛度を有することを特徴とする請求項１〜７のいずれか１項に記載の支持脚。
【請求項９】
荷重負荷分散要素（７）は、下側に向かって突出している支持ウェブ（１９）を有し、緩衝要素（１４）が、これらの保持ウェブ（１９）間に差込み可能であり、この場合、緩衝要素（１４）は、摩擦で及び／又は一体的に外れから保護されていることを特徴とする請求項１〜８のいずれか１項に記載の支持脚。
【請求項１０】
接着剤を注入するための支持ボルト（１）が、長手方向流路（２３）を有し、この長手方向流路（２３）は、荷重負荷分散要素（７）を貫通する少なくとも１つの貫通孔（２５，２６）に通じることを特徴とする請求項１〜９のいずれか１項に記載の支持脚。
【請求項１１】
荷重負荷分散要素（７）を貫通する少なくとも１つの貫通孔（２５，２６）は、支持面（１７）の側に配置された接着剤分散溝（２７）に通に、これらの接着剤分散溝（２７）は、荷重負荷分散要素（７）の表面内の凹部によって形成され、この場合、接着剤分散溝（２７）は、特に荷重負荷分散要素（７）の側方縁部まで延在していることを特徴とする請求項１０に記載の支持脚。
【請求項１２】
支持ボルト（１）は、その上端部の領域内で支持要素（３）に連結されていて、この支持要素（３）は、特に少なくとも１つの床パネル（１５）を支持する支持板（４）を有することを特徴とする請求項１〜１１のいずれか１項に記載の支持脚。
【請求項１３】
支持ボルト（１）に対する支持要素（３）の高さが、特に支持ボルト（１）のねじと支持要素（３）のねじスリーブ（５）との係合によって調節可能であることを特徴とする請求項１２に記載の支持脚。
【請求項１４】
緩衝要素（１４）は、切断工程又は打ち抜き工程によってエラストマーマットから形成されることを特徴とする請求項１〜１３のいずれか１項に記載の支持脚。
【請求項１５】
荷重負荷分散要素（７）の弾性係数は、緩衝要素（１４）のエラストマー弾性係数よりも少なくとも係数 500だけ、特に少なくとも2000だけ大きいことを特徴とする請求項１〜１４のいずれか１項に記載の支持脚。
【請求項１６】
外側に向かって放射状に延在している多数の補強リブ（２１）が存在していて、これらの補強リブ（８）は、特にボルトヘッド（８）をリング状に包囲する補強リブ（２１）から出発し、長手方向縁部に沿って延在している補強リブ（２１）まで延在し、これらの補強リブ（２１）は、これらの長手方向縁部に連結されていることを特徴とする請求項７〜１５のいずれか１項に記載の支持脚。
【発明の詳細な説明】
【技術分野】
【０００１】
本発明は、床の床パネルを弾性的に支持する支持脚に関する。これらの床パネルは、土台に対して間隔をあけて取り付ける必要がある。この支持脚は、その下端にボルトヘッドを有する支持ボルト及びボルトヘッドの下側の領域内に配置されたエラストマー製の緩衝要素を有する。
【背景技術】
【０００２】
例えばケーブル，管等を敷設する中間空間を提供するため、床パネルが土台に対して間隔をあけて取り付けられる際の床が、公知であって支持された床又は二重床とも呼ばれる。床パネルを土台から離すため、支持脚が、床パネルを支持する様々な実施形で使用される。
【０００３】
冒頭で述べた種類の支持脚は、特にドイツ連邦共和国特許発明第 42 28 601号明細書及び特開 2002-081196に記されている。これらの支持脚は、床パネルの縁領域又は角領域に沿って配置され、これらの床パネルを土台から離した状態で支持する。この場合、板状の支持要素が、支持ボルトの上端の領域内にねじで固定されている。この支持要素は、隣接した床パネルをこれらの床パネルの縁要素又は角要素によって支持するために使用される。エラストマー材料から成るシューが、支持ボルトの下端部のボルトヘッドにわたって被せられている。土台と支持ボルトのヘッドとの間にあるこのシューの壁が、土台に対する床パネルの振動を遮断する緩衝要素として使用される。床パネルを取り付け支持脚を調整した後に、接着剤が、これらの床パネル間の間隙を通じて支持ボルトを貫通する貫通孔内に注入される。この接着剤は、支持ボルトのヘッドで流出し緩衝要素内の開口部を通じてウェブによって限定された溝内に流入する。これによって、支持脚が、土台に固着される。ボルトの支持領域内の緩衝要素の高い圧力が原因で、この緩衝要素が、より強いクリープに曝されている。そのため、緩衝要素の緩衝作用が、使用期間の経過中に次第に消滅する。このことは、シューの下面に存在するウェブ及びリブによって増長される。これらのウェブ及びリブは、同様に振動の遮断に寄与し使用期間の経過中にこの機能を次第に失う。
【０００４】
土台上に設置されている緩衝要素を有する支持された床用の支持脚が、ドイツ連邦共和国特許出願公開第29 15 115 号明細書からさらに公知である。横に突出しているフランジを有するスリーブが、ボルトの上端部にねじで固定されている。このフランジは、床パネルを支持する支持板を形成する。ボルトの下端部が、同様に雌ねじを有するスリーブ内にねじ込まれている。このスリーブは、外側に向かって突出しているフランジを有する。この外側に突出するフランジは、緩衝要素上に設置されている。この場合、ボルトの下端部上にねじで固定すべきスリーブと共にもう１つの金属部材を設けることが欠点である。この金属部材は、コストを上げる。また、支持脚は、床プレートの取り付け後に土台に固着されない。類似の支持脚が、ヨーロッパ特許出願公開第0 199 560 号明細書からも公知である。ここではスリーブの代わりにナットが、支持ボルトの下端部にねじで固定される。エラストマーの緩衝要素が、このナットの下面に取り付けられている。
【特許文献１】ドイツ連邦共和国特許発明第 42 28 601号明細書
【特許文献２】特開 2002-081196
【特許文献３】ドイツ連邦共和国特許出願公開第 29 15 115号明細書
【特許文献４】ヨーロッパ特許出願公開第 0 199 560号明細書
【発明の開示】
【発明が解決しようとする課題】
【０００５】
本発明の課題は、土台に対する床プレートの不変な振動を遮断する冒頭で述べた種類の改良された支持脚を提供することにある。
【課題を解決するための手段】
【０００６】
この課題は、本発明により、請求項１に記載の特徴を有する支持脚によって解決される。
【０００７】
床パネルと土台との間の不変でかつ効果的な振動の遮断が、本発明の支持脚によって実現され得る。この場合、支持された支持脚が、簡単に取り付けられ得る。この場合、支持脚の比較的簡単でかつ安価な構造が可能になる。
【０００８】
全体の応力レベルが、本発明の荷重負荷分散要素によって低減できる。引張り応力による亀裂が阻止され得る。振動の減衰は、エラストマーの内部構造によって実現され得る。このエラストマーは、特に単体で構成され、緩衝要素を特殊な形にする必要がない。この場合、非常に簡単な形が、この緩衝要素に対して可能になる。この緩衝要素は、例えば四角形に形成され得る。
【０００９】
好ましくは、ボルトヘッドが、荷重負荷分散要素のボルトヘッド収容部内に嵌着可能である。ボルトヘッドを荷重負荷分散要素のボルトヘッド収容部内にこのように嵌着又は挿嵌することによって、支持ボルトが、荷重負荷分散要素内に一体的に保持される。これによって、取り付けが容易になる。
【００１０】
本発明の好適な実施形では、球継手状の連結部が、ボルトヘッドと荷重負荷分散要素との間に存在する。この場合、例えばボルトヘッド収容部及び／又はボルトヘッドが、球面の一部を有する。これによって、土台の凹凸が効果的に補償され得る。
【００１１】
本発明の好適な実施形では、荷重負荷分散要素は、土台の反対側のその面上に補強リブを有する。これによって、良好な圧力の分散が緩衝要素上で実現され得る。この場合、荷重負荷分散要素は、好ましくは射出成形部材として形成され得る。
【００１２】
本発明の好適な実施形では、接着剤を注入するための支持ボルトが貫通している長手方向流路を有することが提唱されている。この長手方向流路は、貫通開口部から荷重負荷分散要素まで続く。この貫通孔は、支持面側に通じる。この場合、接着剤の拡散溝が、貫通孔の合流領域から外側に向かって延在している。これらの拡散溝は、荷重負荷分散要素の側面の縁部まで延在している。これによって、荷重負荷分散要素と緩衝要素との間及び緩衝要素と土台との間の双方の固着が実現され得る。
【００１３】
以下に、本発明のその他の利点及び詳細を添付図面に基づいて説明する。
【発明を実施するための最良の形態】
【００１４】
図は、本発明の支持脚の実施の形態を示す。この支持脚は、支持ボルト１を有する。この支持ボルト１は、その下端部にボルトヘッド２を有する（したがってこのボルトヘッド２は、隣接している縦孔に比べて大きい直径を有する）。このボルトヘッド２の上端部の領域内では、支持ボルトが支持要素３に連結されている。この支持要素３は、埋め込まれたねじスリーブ５を有する支持面４から形成される。対応する雄ねじを有する支持ボルト１が、このねじスリーブ５内にねじ込まれている。支持ボルト１をねじスリーブ５に対して回転させることによって、支持要素３の高さが調節可能である。支持ボルト１を回転させるため、この支持ボルト１は、その上端部に回転工具用の配座部、例えばプラスのスリットを有する（図４，５参照）。
【００１５】
支持ボルト１のボルトヘッド２は、合成樹脂製の荷重負荷分散要素７上に設置されている。さらに荷重負荷分散要素７は、ボルトヘッド収容部８を有する。ボルトヘッド２が、このボルトヘッド収容部８内に配置されている。ボルトヘッド２は、ボルトヘッド収容部８内に嵌着することによって係合可能である。さらに突出部９が、ボルトヘッド収容部８を形成する凹部内に存在する。これらの突出部９は、この凹部の側壁から突出し、ボルトヘッド２の直径に比べて若干小さい横断面を形成する。ボルトヘッドをボルトヘッド収容部８内に挿入する際に、これらの突出部が、荷重負荷分散要素７の材料の弾性によって外側に若干押圧され得る。これによって、ボルトヘッド２が、挿嵌され次いでボルトヘッド収容部８内に一体的に嵌着されている。この場合、支持要素３の高さを調整するため、ボルトヘッド２は、その嵌着された位置内でその長手方向軸線１０の周りに容易に回転できる。
【００１６】
ボルトヘッド収容部８は、支持面１１を有する。この支持面１１は、多数の球面状の部分から形成される。これらの部分は、周囲方向に沿って間隔をあけて互いに相前後する。これらの球面状の部分間の間隔は、突出部９の製造に対して射出技術的に形成されている。この場合、合成樹脂の射出後に、スライダが、球状の部分間で低部２４内の貫通孔２６を通じて引き出される。ボルトヘッド２の湾曲した外周が、支持面１１に密接する。この場合、ボルトヘッド２は、収容部８の底部２４から離れている。これによって、球継手状の連結が、支持ボルト１と荷重負荷分散要素７との間に形成される。この場合、土台１３の凹凸を補償できるようにするため、支持ボルト１は、例えば少なくとも１°に相当する角度範囲１間で荷重負荷分散要素７に対して全面で旋回可能である。
【００１７】
荷重負荷分散要素７は、緩衝要素１４上に設置されている。緩衝要素１４は、支持脚によって支持されている床プレート１５の振動を土台１３に対して遮断するために使用され、そのためエラストマー、特に多孔性のエラストマーから成る。特に緩衝要素１４は、発泡されたポリウレタンから成る。
【００１８】
緩衝要素１４は、平坦な支持面１６を有する。この支持面１６は、荷重負荷分散要素７の平坦な支持面１７に密接する。この緩衝要素１４は、支持面１６に対向している下の支持面１８によって土台１３上に設置されている。
【００１９】
緩衝要素１４は、非常に簡単な構造をなしてもよくて、貫通孔がない。緩衝要素は、その表面上に凹部がなくてもよくて、図中に示されているように特に四角形に形成されている。柱状の構造も好適に使用可能である。この場合、荷重負荷分散要素７をこれに応じて変更してもよい。
【００２０】
荷重負荷分散要素７は、下側に突出している緩衝要素１４用の保持ウェブ１９を有する。緩衝要素１４が、これらの保持ウェブ１９間に差込み可能である。この場合、これらの保持ウェブ１９は、緩衝要素１４の角領域を包囲してこの緩衝要素を擦りだしから摩擦的に保護する。これによって、床プレートの取り付けが簡単になる。保持要素１９は、緩衝要素１４の側面２０の幅の全体にわたって延在していてもよく又は緩衝要素１４の側面２０の一部、例えば中央部分にわたって延在していてもよい。荷重負荷分散要素７内への緩衝要素１４の挿嵌を改良するため、緩衝要素１４の材料を押して変形させる突出部又はフック要素を側面ウェブに対して形成してもよい。この場合、支持ウェブ１９を弾性的に形成してもよい。緩衝要素１４を荷重負荷分散要素７に対して一体的に挿嵌させることも考えられかつ可能である。特に床パネル１５の取り付け及び調整後に土台１３に接着するための接着剤を持ち込んではならない場合は、例えば接着テープによって緩衝要素１４を荷重負荷分散要素７に貼付することも可能である。この場合、保持ウェブ１９も省略できる。
【００２１】
緩衝要素１４と荷重負荷分散要素７との間のこの連結は、特に緩衝要素１４が荷重負荷分散要素７から脱落することを阻止する。特に土台に貼付し同時に荷重負荷分散要素７と緩衝要素７との間を貼付する接着剤を注入してはいけない場合、この連結は、横応力を吸収するためにも作用する。
【００２２】
荷重負荷分散要素７は、緩衝要素１４の反対側に面したその面上に補強リブを有する。材料経費が僅かであっても、支持ボルト１から緩衝要素１４の支持面１６にかけての広範囲に均質な荷重負荷の分散が、これらの補強リブによって実現され得る。この場合、外側に向かって放射状に延在している補強リブが存在する。これらの補強リブの外側の端部が、外周に延在している補強リブによって互いに連結される。ボルトヘッド収容部８が、周囲を塞ぎ断面に沿って円形のウェブ２８によって包囲される。このウェブ２８は、低部２４から上に向かって突出している。
【００２３】
この場合、ボルトヘッド２から荷重負荷分散要素７の支持面１１を介してこの荷重負荷分散要素７に作用する力が、緩衝要素１４のより広い支持面１６上に、特に比較的均質に緩衝要素１４の外側の縁領域まで分散される。この荷重負荷分散要素は、好ましくは合成樹脂の射出成形部材として形成され得る。
【００２４】
緩衝要素１４のこの密度は、例えば100 〜1000kg/m3 の範囲内にありうる。この場合、300 〜600 kg/m3 の範囲内の値が好ましい。緩衝要素１４は、具体的な用途に応じて異なる剛性又は負荷許容量を有しうる。例えば、緩衝要素１４をいろいろな色にコーディネートできる。これらの緩衝要素１４は、使用目的に応じて使用され、これに対して荷重負荷分散要素に連結される。
【００２５】
荷重負荷分散要素は、緩衝要素１４に比べて硬い材料から成る。すなわち、荷重負荷分散要素７の材料は、緩衝要素１４の材料よりも変形しない。そのため、荷重負荷分散要素７の曲げ強度は、緩衝要素１４の曲げ強度よりも大きい。例えば、荷重負荷分散要素７の材料の弾性係数は、2000〜3000N/m2の範囲内にある。好ましくは、荷重負荷分散要素７の弾性係数は、エラストマー弾性係数よりも少なくとも係数 500だけ大きい。この場合、2000以上の値が特に好ましい。
【００２６】
荷重負荷分散要素７は、例えばポリアミドから成る。この荷重負荷分散要素７は、大きい長期耐久限度を呈しかつ脆くない。緩衝要素１４及び荷重負荷分散要素７の双方が、ポリペプチドによって形成される。したがって、これらは、同じ接着剤で接着可能である。      
【００２７】
取り付け後に接着剤を使用してはならない場合は、ポリエチレン，ポリプロピレン及びアクリルニトリル・ブタジエン・スチロール共重合体のような材料も荷重負荷分散要素に対して考えられかつ可能である。ポリアセテート（例えば、ポリオキシメチレン）から成る組成も考えられかつ可能である。その他の合成樹脂も使用可能である。
【００２８】
床プレート１５が支持脚上に設置され、これらの支持脚が調整された後に、好ましくは接着剤２２（図５参照）が塗布される。これに対して、支持ボルト１が、貫通している長手方向流路２３を有する。この長手方向流路２３は、この長手方向流路２３は、ボルトヘッド２も貫通している。中央の貫通孔２５及びこの貫通孔２５の周りに配置された貫通孔２６が、ボルトヘッド収容部８の低部２４を通過する。これらの貫通孔２６は、長手方向流路２３に通じる。この場合、中間空間が、ボルトヘッド2 と低部２４との間に存在し得る（この中間空間は、支持ボルト１と荷重負荷分散要素７との間の旋回を可能にするために使用され得る）。接着剤分散溝２７が、支持面１７の面上の貫通孔２５の合流部分から外側に向かって放射状に出発して荷重負荷分散要素７の側方縁部まで延在している。この場合、これらの接着剤分散溝２７のうちの４つが、荷重負荷分散要素の四隅に向かって延在し、その他の４つの接着剤分散溝２７が、側方縁部の中央の領域に向かって延在している。
【００２９】
接着剤分散溝２７はそれぞれ、好ましくは補強リブ２１の下の領域内に延在している。これによって、接着剤分散溝２７による荷重負荷分散要素７の強度低下が可能な限り僅かに保持される。
【００３０】
接着剤が、上から支持ボルト１の長手方向孔２３内に注入される時に、この接着剤は、この長手方向孔２３を通じさらに貫通孔２５そして接着剤分散溝２７を通じて流れる。荷重負荷分散要素７の側方縁部で接着剤分散溝２７から流出した接着剤が、土台１３上に到達して緩衝要素を完全に又はその一部を包囲する接着剤パッドを形成するまで、この接着剤は、緩衝要素１４に沿って下に向かって流れる。この接着剤パッドは、この緩衝要素を土台１３に接合させる。これによって、この緩衝要素１４は、土台１３からの遊離から保護される。接着剤分散溝２７及び貫通孔２５，２６内に存在する接着剤によって、緩衝要素１４が、荷重負荷分散要素７に固着する。その結果、荷重負荷分散要素７も、遊離から保護される。緩衝要素１４の側面２０に沿って垂直にこの緩衝要素１４にわたって下に向かって延在している接着ブリッジ（ウェブ）が、この緩衝要素１４の横方向の膨張を阻止する。その結果、これらの接着剤ブリッジが、水平方向に無視できる僅かな力しか吸収でいないので、この緩衝要素１４の緩衝作用を実質的に損なわない。
【００３１】
緩衝要素１４の形が簡単であるため、これらの緩衝要素１４は、例えば水流ビーム又はマット材からの打抜きによって形成され得る。このことは、非常に安価な製造を可能にする。
【００３２】
荷重負荷分散要素の支持面１７は、接着剤分散溝２７間に存在する荷重負荷分散要素７の下面の領域によって（貫通孔２５，２６の合流領域の凹部によって）形成される。
【００３３】
支持ボルト１は、金属、特に鋼から成る。
【００３４】
接着剤２２は、例えば単一成分であるＰＵＲグルテンから組成され得る。
【００３５】
接着剤分散溝２７は、貫通孔２６にも連結され得る。これに対して、例えばリング状の接着剤分散溝を設けてもよい。この接着剤分散溝は、外側に向かって放射状に延在している接着剤分散溝２７に連結されている。外側に向かって放射状に延在している接着剤分散溝２７は、このリング状の接着剤分散溝から出発させてもよく、中心の貫通孔２５を省略してもよい。
【００３６】
ボルトヘッド２と低部２４との間に存在する中間空間をボルトヘッド２の上に存在するボルトヘッド収容部８の領域に連結させる連結流路を設けてもよい。このとき、接着剤が、この連結流路を貫流してボルトヘッド２の上に存在するボルトヘッド収容部８の領域内に流出する。これによって、ボルトヘッド収容部８内でのボルトヘッド２の固着がより良好になる。この連結流路は、貫通孔２６の少なくとも一部の外側に向かって延在している広がり部分によって形成され得る。
【００３７】
図中に示された実施の形態の別の異なる変更が、本発明の範囲から離れることなしに考えられかつ可能である。例えば、荷重負荷分散要素７を支持ボルト１に吹付けることも考えられかつ可能である。この場合、球継手状の連結を支持ボルト１と荷重負荷分散要素７との間に形成するため、ボルトヘッド２が球形をなし得る。さらなる要素を緩衝要素１４と土台１３との間に設けることも考えられかつ可能である。この場合、緩衝要素１４を土台１３上に直接設置することが好ましい。例えば互いに差込み可能であって重なって配置されている部材によって、荷重負荷要素を多数の部材で形成することも原理的に考えられかつ可能である。
【図面の簡単な説明】
【００３８】
【図１】本発明の支持脚の実施の形態の側面図である。
【図２】垂直中心断面図である。この場合、支持脚によって支持されている床パネルが概略的に示されている。
【図３】支持要素なしの側面図である。
【図４】上面図（図３のＡから見た図）である。
【図５】斜め上からの投影図である。この場合、供給された接着剤が概略的に示されている。
【図６】荷重負荷分散要素を上から見たときの投影図である。
【図７】荷重負荷分散要素を下から見たときの投影図である。
【符号の説明】
【００３９】
１  支持ボルト
２  ボルトヘッド
３  支持要素
４  支持板
５  ねじスリーブ
６  配座部
７  荷重負荷分散要素
８  ボルトヘッド収容部
９  突出部
１０  長手方向軸線
１１  荷重負荷分散要素の支持面
１２  角度範囲
１３  土台
１４  緩衝要素
１５  床パネル
１６  緩衝要素の支持面
１７  荷重負荷分散要素の支持面
１８  緩衝要素の支持面
１９  保持ウェブ
２０  側面
２１  補強リブ
２２  接着剤
２３  長手方向流路
２４  低部
２５  貫通孔
２６  貫通孔
２７  接着剤分散溝
２８  ウェブ
【図１】
2005240548.tif 000003
【図２】
2005240548.tif 000004
【図３】
2005240548.tif 000005
【図４】
2005240548.tif 000006
【図５】
2005240548.tif 000007
【図６】
2005240548.tif 000008
【図７】
2005240548.tif 000009